(57)【特許請求の範囲】
【請求項１】
周囲の環境状態を検出する１または複数種類のセンサと、制御の設定手段と、前記センサおよび前記設定手段を実装するプリント基板と、前記設定手段による設定および前記センサの検出情報に基づき照明の点灯状態を制御するＣＰＵとを備えた照明制御装置であって、
前記ＣＰＵは、前記センサおよび前記設定手段の組合せによる複数種類の制御タイプに応じてタイプ特有の動作をするように前記照明の点灯状態を制御するものであり、
前記センサがセンサα、βであり、前記設定手段が設定手段Ｓ１、Ｓ２であるとし、
前記プリント基板は、その中心で交差する縦センタラインおよび横センタラインにおいて、前記横センタライン上に前記縦センタラインに対して一定以上の間隔をあけた略対称位置をｐｏｓｉｔｉｏｎ１、ｐｏｓｉｔｉｏｎ２とし、前記縦センタライン上の前記横センタラインとの交差位置付近にｐｏｓｉｔｉｏｎ３、ｐｏｓｉｔｉｏｎ４が並び、前記縦センタラインの前記ｐｏｓｉｔｉｏｎ３、ｐｏｓｉｔｉｏｎ４の外側の位置をｐｏｓｉｔｉｏｎ５、ｐｏｓｉｔｉｏｎ６としたとき、
前記ｐｏｓｉｔｉｏｎ１と前記ｐｏｓｉｔｉｏｎ３に前記センサαが、前記ｐｏｓｉｔｉｏｎ２と前記ｐｏｓｉｔｉｏｎ４に前記センサβが、前記ｐｏｓｉｔｉｏｎ５に前記設定手段Ｓ１が、前記ｐｏｓｉｔｉｏｎ６に前記設定手段Ｓ２が、それぞれ、前記制御タイプに応じた実装パターンにしたがって実装されるものであって、
前記実装パターンは、第１の制御タイプが前記ｐｏｓｉｔｉｏｎ１に前記センサα、前記ｐｏｓｉｔｉｏｎ２に前記センサβ、前記ｐｏｓｉｔｉｏｎ５に前記センサＳ１を実装するパターンであり、第２の制御タイプが前記ｐｏｓｉｔｉｏｎ３に前記センサα、前記ｐｏｓｉｔｉｏｎ５に前記設定手段Ｓ１を実装するパターンであり、第３の制御タイプが前記ｐｏｓｉｔｉｏｎ４に前記センサβ、前記ｐｏｓｉｔｉｏｎ６に前記設定手段Ｓ２を実装するパターンであり、
前記第１の制御タイプ、前記第２の制御タイプおよび前記第３の制御タイプから選択された制御タイプにしたがった前記実装パターンで、前記センサおよび前記設定手段が前記プリント基板に実装されている照明制御装置。
【請求項２】
周囲の環境状態を検出する１または複数種類のセンサと、制御の設定手段と、前記センサおよび前記設定手段を実装するプリント基板と、前記設定手段による設定および前記センサの検出情報に基づき照明の点灯状態を制御するＣＰＵとを備えた照明制御装置であって、
前記ＣＰＵは、前記センサおよび前記設定手段の組合せによる複数種類の制御タイプに応じてタイプ特有の動作をするように照明の点灯状態を制御するものであり、
前記センサがセンサα、βであり、前記設定手段が設定手段Ｓ１、Ｓ２であるとしたとき、前記設定手段Ｓ１は前記センサα及びβに関する設定をすることができ、前記設定手段Ｓ２は前記センサβに関する設定をすることができるものであり、
前記プリント基板は、その中心で交差する縦センタラインおよび横センタラインにおいて、前記横センタライン上に前記縦センタラインに対して一定以上の間隔をあけた略対称位置をｐｏｓｉｔｉｏｎ１、ｐｏｓｉｔｉｏｎ２とし、前記縦センタライン上の前記横センタラインとの交差位置をｐｏｓｉｔｉｏｎ３とし、前記縦センタラインの前記ｐｏｓｉｔｉｏｎ３の外側の位置をｐｏｓｉｔｉｏｎ５、ｐｏｓｉｔｉｏｎ６としたとき、
前記ｐｏｓｉｔｉｏｎ１と前記ｐｏｓｉｔｉｏｎ３に前記センサαが、前記ｐｏｓｉｔｉｏｎ２に前記センサβが、前記ｐｏｓｉｔｉｏｎ５に前記設定手段Ｓ１が、前記ｐｏｓｉｔｉｏｎ６に前記設定手段Ｓ２が、それぞれ、前記制御タイプに応じた実装パターンにしたがって実装されるものであって、
前記実装パターンは、第１の制御タイプが前記ｐｏｓｉｔｉｏｎ１に前記センサα、前記ｐｏｓｉｔｉｏｎ２に前記センサβ、前記ｐｏｓｉｔｉｏｎ５に前記設定手段Ｓ１を実装するパターンであり、第２の制御タイプが前記ｐｏｓｉｔｉｏｎ３に前記センサα、前記ｐｏｓｉｔｉｏｎ５に前記設定手段Ｓ１を実装するパターンであり、第３の制御パターンが前記ｐｏｓｉｔｉｏｎ２に前記センサβ、前記ｐｏｓｉｔｉｏｎ５に前記設定手段Ｓ１を実装するパターンであり、第４の制御タイプが前記ｐｏｓｉｔｉｏｎ２に前記センサβ、前記ｐｏｓｉｔｉｏｎ６に前記設定手段Ｓ２を実装するパターンであり、
前記第１の制御タイプ、前記第２の制御タイプ、前記第３の制御タイプおよび前記第４の制御タイプから選択された制御タイプにしたがった前記実装パターンで、前記センサおよび前記設定手段が前記プリント基板に実装されている照明制御装置。
【請求項３】
前記センサαは明るさ検出手段であり前記センサβは人体検出手段であるか、あるいは前記センサαが人体検出手段であり前記センサβが明るさ検出手段である請求項１または請求項２記載の照明制御装置。
【請求項４】
前記設定手段Ｓ１は無線通信手段であり前記設定手段Ｓ２はスイッチであるか、あるいは前記設定手段Ｓ１はスイッチであり前記設定手段Ｓ２は無線通信手段である請求項１または請求項２記載の照明制御装置。
【発明の詳細な説明】
【０００１】
【発明の属する技術分野】
本発明は、人感センサや明るさセンサおよび設定手段を有して、照明器具を照明制御することにより省エネ効果や利便性を向上させる照明システムにおける照明制御装置に関するものである。
【０００２】
【従来の技術】
従来のこの種の照明制御装置には、制御タイプは異なるが、センサの有無や組合せ以外は他の構成が類似している場合、（１）専用のプリント基板を作成したり、（２）共通プリント基板に各センサを実装する位置を設け、あるいは使用しないタイプの装置には実装しないようにしたり、（３）さらには、各機能ごとにプリント基板を分け、使用するプリント基板の組合せを替え、それぞれをコネクタでつなぐ等があった。
【０００３】
【発明が解決しようとする課題】
制御タイプは異なるが、センサの有無や組合せ以外は他の構成が類似している場合、（１）専用のプリント基板にすると、数種類のプリント基板を作成しなくてはならない。
【０００４】
（２）共通プリント基板に各センサを実装する位置を設け、使用しないタイプの装置には実装しないようにする方法で各タイプに対応する場合は、外観上センサ位置に偏りがあるため外観上のバランスが良くない。特に、複数種頬のセンサを用いる場合、双方のセンサを中央部に並べて実装するスペースがない場合や、余り近づけると互いのセンサが影響を受けるなどの問題があるとき、また、デザイン上複数をバランス良くある程度離して配する方が好ましい場合などは、いずれか１つのセンサのみ使用する場合にセンサ位置に偏りが出やすいため、さらにバランスが悪くなる。
【０００５】
（３）各機能ごとにプリント基板を分け、組合せを替える方法ではケース内部に取り付ける構造が複雑になる。加えて、各タイプで外観上バランス良い配置にするためには、タイプごとに共通の取付構造にするか、若しくはどのタイプでも対応できるようにするならば、取付構造がより複雑になるなどの問題がある。
【０００６】
したがって、この発明の目的は、プリント基板が共通にでき、プリント基板取付構造を共通にでき、センサを複数用いる装置の場合、センサを１ケのみ用いる装置の場合とも、各々中央を中心にバランス良く配置することができる照明制御装置を提供することである。
【０００７】
【課題を解決するための手段】
請求項１記載の照明制御装置は、周囲の環境状態を検出する１または複数種類のセンサと、制御の設定手段と、前記センサおよび前記設定手段を実装するプリント基板と、前記設定手段による設定および前記センサの検出情報に基づき照明の点灯状態を制御するＣＰＵとを備えた照明制御装置であって、
前記ＣＰＵは、前記センサおよび前記設定手段の組合せによる複数種類の制御タイプに応じてタイプ特有の動作をするように前記照明の点灯状態を制御するものであり、
前記センサがセンサα、βであり、前記設定手段が設定手段Ｓ１、Ｓ２であるとし、
前記プリント基板は、その中心で交差する縦センタラインおよび横センタラインにおいて、前記横センタライン上に前記縦センタラインに対して一定以上の間隔をあけた略対称位置をｐｏｓｉｔｉｏｎ１、ｐｏｓｉｔｉｏｎ２とし、前記縦センタライン上の前記横センタラインとの交差位置付近にｐｏｓｉｔｉｏｎ３、ｐｏｓｉｔｉｏｎ４が並び、前記縦センタラインの前記ｐｏｓｉｔｉｏｎ３、ｐｏｓｉｔｉｏｎ４の外側の位置をｐｏｓｉｔｉｏｎ５、ｐｏｓｉｔｉｏｎ６としたとき、
前記ｐｏｓｉｔｉｏｎ１と前記ｐｏｓｉｔｉｏｎ３に前記センサαが、前記ｐｏｓｉｔｉｏｎ２と前記ｐｏｓｉｔｉｏｎ４に前記センサβが、前記ｐｏｓｉｔｉｏｎ５に前記設定手段Ｓ１が、前記ｐｏｓｉｔｉｏｎ６に前記設定手段Ｓ２が、それぞれ、前記制御タイプに応じた実装パターンにしたがって実装されるものであって、
前記実装パターンは、第１の制御タイプが前記ｐｏｓｉｔｉｏｎ１に前記センサα、前記ｐｏｓｉｔｉｏｎ２に前記センサβ、前記ｐｏｓｉｔｉｏｎ５に前記センサＳ１を実装するパターンであり、第２の制御タイプが前記ｐｏｓｉｔｉｏｎ３に前記センサα、前記ｐｏｓｉｔｉｏｎ５に前記設定手段Ｓ１を実装するパターンであり、第３の制御タイプが前記ｐｏｓｉｔｉｏｎ４に前記センサβ、前記ｐｏｓｉｔｉｏｎ６に前記設定手段Ｓ２を実装するパターンであり、
前記第１の制御タイプ、前記第２の制御タイプおよび前記第３の制御タイプから選択された制御タイプにしたがった前記実装パターンで、前記センサおよび前記設定手段が前記プリント基板に実装されている。
【０００８】
請求項１記載の照明制御装置によれば、プリント基板が共通になるため、タイプごとにプリント基板を作成しなくても良く、プリント基板取付構造も共通となる。またセンサを複数用いる装置の場合、センサを１ケのみ用いる装置の場合とも、各々中央を中心にバランス良く配置することができるので、外観上のバランスが良い。
【００１１】
請求項２記載の照明制御装置は、周囲の環境状態を検出する１または複数種類のセンサと、制御の設定手段と、前記センサおよび前記設定手段を実装するプリント基板と、前記設定手段による設定および前記センサの検出情報に基づき照明の点灯状態を制御するＣＰＵとを備えた照明制御装置であって、
前記ＣＰＵは、前記センサおよび前記設定手段の組合せによる複数種類の制御タイプに応じてタイプ特有の動作をするように照明の点灯状態を制御するものであり、
前記センサがセンサα、βであり、前記設定手段が設定手段Ｓ１、Ｓ２であるとしたとき、前記設定手段Ｓ１は前記センサα及びβに関する設定をすることができ、前記設定手段Ｓ２は前記センサβに関する設定をすることができるものであり、
前記プリント基板は、その中心で交差する縦センタラインおよび横センタラインにおいて、前記横センタライン上に前記縦センタラインに対して一定以上の間隔をあけた略対称位置をｐｏｓｉｔｉｏｎ１、ｐｏｓｉｔｉｏｎ２とし、前記縦センタライン上の前記横センタラインとの交差位置をｐｏｓｉｔｉｏｎ３とし、前記縦センタラインの前記ｐｏｓｉｔｉｏｎ３の外側の位置をｐｏｓｉｔｉｏｎ５、ｐｏｓｉｔｉｏｎ６としたとき、
前記ｐｏｓｉｔｉｏｎ１と前記ｐｏｓｉｔｉｏｎ３に前記センサαが、前記ｐｏｓｉｔｉｏｎ２に前記センサβが、前記ｐｏｓｉｔｉｏｎ５に前記設定手段Ｓ１が、前記ｐｏｓｉｔｉｏｎ６に前記設定手段Ｓ２が、それぞれ、前記制御タイプに応じた実装パターンにしたがって実装されるものであって、
前記実装パターンは、第１の制御タイプが前記ｐｏｓｉｔｉｏｎ１に前記センサα、前記ｐｏｓｉｔｉｏｎ２に前記センサβ、前記ｐｏｓｉｔｉｏｎ５に前記設定手段Ｓ１を実装するパターンであり、第２の制御タイプが前記ｐｏｓｉｔｉｏｎ３に前記センサα、前記ｐｏｓｉｔｉｏｎ５に前記設定手段Ｓ１を実装するパターンであり、第３の制御パターンが前記ｐｏｓｉｔｉｏｎ２に前記センサβ、前記ｐｏｓｉｔｉｏｎ５に前記設定手段Ｓ１を実装するパターンであり、第４の制御タイプが前記ｐｏｓｉｔｉｏｎ２に前記センサβ、前記ｐｏｓｉｔｉｏｎ６に前記設定手段Ｓ２を実装するパターンであり、
前記第１の制御タイプ、前記第２の制御タイプ、前記第３の制御タイプおよび前記第４の制御タイプから選択された制御タイプにしたがった前記実装パターンで、前記センサおよび前記設定手段が前記プリント基板に実装されている。
請求項２記載の照明制御装置によれば、請求項１と同様な効果がある。
【００１２】
請求項３記載の照明制御装置は、請求項１または請求項２において、前記センサαが明るさ検出手段であり前記センサβは人体検出手段であるか、あるいは前記センサαが人体検出手段であり前記センサβが明るさ検出手段である。
【００１３】
請求項３記載の照明制御装置によれば、請求項１または請求項２と同様な効果がある。
【００１４】
請求項４記載の照明制御装置は、請求項１または請求項２において、前記設定手段Ｓ１が無線通信手段であり前記設定手段Ｓ２はスイッチであるか、あるいは前記設定手段Ｓ１はスイッチであり前記設定手段Ｓ２は無線通信手段である。
【００１５】
請求項４記載の照明制御装置によれば、請求項１または請求項２と同様な効果がある。
【００１８】
【発明の実施の形態】
（第１の実施の形態）
この発明の第１の実施の形態を図１および図２により説明する。すなわち、これは周囲の環境状態を検出する明るさセンサと人感センサと照明制御の設定手段を用いて、照明器具の点灯を調光制御する照明制御装置である。制御タイプで使用するセンサα、βは、明るさセンサＡ、人感センサＮであり、設定手段Ｓ１、Ｓ２は近赤外線や赤外線等を用いた無線通信手段である例えば送受信リモコンＲＭＣ、ディップスイッチＳＷなどのスイッチであり、プリント基板に実装される。照明制御動作を制御するＣＰＵは共通であって、各制御タイプを示す信号、例えばＪＰの設定により入力する信号が切り替わるような回路構成になっている等ＣＰＵに入力されることによって、そのタイプ特有の動作をするように構成される。照明器具、点灯装置および調光制御装置は公知の構成を適用する。
【００１９】
図１（ａ）に示すように、プリント基板Ｐｒに縦センタラインｃｅｎｔｅｒ１と横センタラインｃｅｎｔｅｒ２上に、ｐｏｓｉｔｉｏｎ１からｐｏｓｉｔｉｏｎ６を配置する。
【００２０】
図１（ｂ）に示すように、ｐｏｓｉｔｉｏｎ１、ｐｏｓｉｔｉｏｎ３には、センサαとして明るさセンサＡが実装できるような実装パターンになっており、
ｐｏｓｉｔｉｏｎ２、ｐｏｓｉｔｉｏｎ４には、センサβとして人感センサＮが実装できるような実装パターンになっており、
ｐｏｓｉｔｉｏｎ５には、送受信リモコンＲＭＣが実装できるような実装パターンになっており、
ｐｏｓｉｔｉｏｎ６には、ディップスイッチＳＷが実装できるような実装パターンになっている。
【００２１】
図２は各種制御タイプを示し、図２（ａ）はＡ、Ｎ、ＲＭＣを使用するタイプ１であり、明るさセンサＡをｐｏｓｉｔｉｏｎ１に実装し、人感センサＮをｐｏｓｉｔｉｏｎ２に実装し、送受信リモコンＲＭＣをｐｏｓｉｔｉｏｎ５に実装する。
【００２２】
図２（ｂ）はＡ、ＲＭＣを使用するタイプ２であり、明るさセンサＡをｐｏｓｉｔｉｏｎ３に実装し、送受信リモコンＲＭＣをｐｏｓｉｔｉｏｎ５に実装する。
【００２３】
図２（ｃ）はＮ、ＳＷを使用するタイプ３であり、人感センサＮをｐｏｓｉｔｉｏｎ４に実装し、ディップスイッチＳＷをｐｏｓｉｔｉｏｎ６に実装する。
【００２４】
第１の実施の形態によれば、各制御タイプについて、プリント基板Ｐｒが共通になるため、タイプごとにプリント基板Ｐｒを作成しなくても良い。プリント基板取付構造も共通となる。またセンサを複数用いる装置の場合、センサを１ケのみ用いる装置の場合とも、各々プリント基板の中央を中心にバランス良く配置することができるので、外観上のバランスが良い。
【００２５】
図３および図４は第１の実施の形態の変形であり、図１（ａ）のｐｏｓｉｔｉｏｎ３の位置が縦センタラインｃｅｎｔｅｒ１および横センタラインｃｅｎｔｅｒ２の中心に位置するのに対して、図３（ａ）に示すように、センタラインの中心に位置せずに、縦センタライン上で横センタラインの両側に振り分けられて配置された例である。その他は図１および図２と同様である。
【００２６】
（第２の実施の形態）
この発明の第２の実施の形態を図５および図６により説明する。すなわち、明るさセンサと人感センサとを用いた照明制御装置であり、制御タイプで使用するセンサα、βは明るさセンサＡ、人感センサＮであり、設定手段Ｓ１、Ｓ２は近赤外線等を用いた送受信リモコンＲＭＣ、ディップスイッチＳＷであり、設定手段Ｓ１、Ｓ２の送受信リモコンＲＭＣは明るさセンサＡ及び人感センサＮに関する設定をすることができる手段で、ディップスイッチＳＷは人感センサＮに関する設定をすることができる手段である。これらはプリント基板に実装される。制御動作を制御するＣＰＵは共通であって、各制御タイプを示す信号、例えばＪＰの設定により入力する信号が切り替わるような回路構成になっている等ＣＰＵに入力されることによって、そのタイプ特有の動作をするように構成される。照明器具、点灯装置および調光制御装置は公知の構成を適用する。
【００２７】
図５（ａ）に示すように、図１（ａ）と比較してｐｏｓｉｔｉｏｎ４がない配置の場合である。すなわち、図５（ａ）、（ｂ）に示すようにｐｏｓｉｔｉｏｎ１、３には、明るさセンサＡが実装できるような実装パターンになっており、ｐｏｓｉｔｉｏｎ２には、人感センサＮが実装できるような実装パターンになっており、ｐｏｓｉｔｉｏｎ５には、リモコン送受信ＲＭＣが実装できるような実装パターンになっており、ｐｏｓｉｔｉｏｎ６は、ディップスイッチＳＷが実装できるような実装パターンになっている。
【００２８】
制御タイプは図６に示すように、図６（ａ）はタイプ１であり、明るさセンサＡ、人感センサＮ、送受信リモコンＲＭＣを使用するもので、明るさセンサＡをｐｏｓｉｔｉｏｎ１に実装し、人感センサＮをｐｏｓｉｔｉｏｎ２に実装し、送受信リモコンＲＭＣをｐｏｓｉｔｉｏｎ５に実装している。
【００２９】
図６（ｂ）はタイプ２であり、明るさセンサＡ、および送受信リモコンＲＭＣを使用するもので、明るさセンサＡをｐｏｓｉｔｉｏｎ３に実装し、送受信リモコンＲＭＣをｐｏｓｉｔｉｏｎ５に実装している。
【００３０】
図６（ｃ）はタイプ３であり、人感センサＮ、および送受信リモコンＲＭＣ  を使用するもので、人感センサＮをｐｏｓｉｔｉｏｎ２に実装し、送受信リモコンＲＭＣをｐｏｓｉｔｉｏｎ５に実装する。
【００３１】
図６（ｄ）はタイプ４であり、人感センサＮ、ディップスイッチＳＷを使用するもので、人感センサＮをｐｏｓｉｔｉｏｎ２に実装し、ディップスイッチＳＷをｐｏｓｉｔｉｏｎ６に実装する。
【００３２】
第２の実施の形態によれば、第１の実施の形態と同様な効果がある。
【００３３】
なお、上記各実施の形態において、明るさセンサＡと人感センサＮの位置を入れ換え、またディップスイッチＳＷと送受信リモコンＲＭＣを入れ換えてもよい。
【００３４】
また各実施の形態のプリント基板は四角形であったが、円形でもよい。
【００３５】
【発明の効果】
請求項１記載の照明制御装置によれば、プリント基板が共通になるため、タイプごとにプリント基板を作成しなくても良く、プリント基板取付構造も共通となる。またセンサを複数用いる装置の場合、センサを１ケのみ用いる装置の場合とも、各々中央を中心にバランス良く配置することができるので、外観上のバランスが良い。
【００３６】
請求項２記載の照明制御装置によれば、請求項１と同様な効果がある。
【００３８】
請求項３記載の照明制御装置によれば、請求項１または請求項２と同様な効果がある。
【００３９】
請求項４記載の照明制御装置によれば、請求項１または請求項２と同様な効果がある。
【図面の簡単な説明】
【図１】この発明の第１の実施の形態の実装パターンを示す配置図である。
【図２】各制御タイプの配置図である。
【図３】変形形態の配置図である。
【図４】その各制御タイプの配置図である。
【図５】第２の実施の形態の実装パターンの配置図である。
【図６】その各制御タイプの配置図である。
【符号の説明】
α、β    センサ
Ｓ１、Ｓ２    設定手段
Ａ    明るさセンサ
Ｎ    人感センサ
ＳＷ    ディップスイッチ
ＲＭＣ    送受信リモコン
【図１】
0003988382.tif 000002
【図２】
0003988382.tif 000003
【図３】
0003988382.tif 000004
【図４】
0003988382.tif 000005
【図５】
0003988382.tif 000006
【図６】
0003988382.tif 000007